(57)【要約】【課題】遊技盤の後面側に基板ユニットの設置スペースを確保する。【解決手段】統括制御装置７０を遊技盤２０の後方から後面に近づく方向へ受け入れ、統括制御装置７０を回路基板７２の表面が遊技盤２０の後面に対して交差する姿勢で着脱可能に保持する保持機構部９０を遊技盤２０の後面側に設ける。そして、保持機構部９０に対し、遊技盤２０の後面から遠ざかる方向への統括制御装置７０の変位を規制する規制状態、および遊技盤２０の後面から遠ざかる方向への統括制御装置７０の変位を許容する許容状態に変更可能な弾性係止片１０７を設けた。【選択図】図５
2014223213.tif 000002
【特許請求の範囲】
【請求項１】
遊技球が流下可能な遊技領域が形成された遊技盤と、
前記遊技領域に設けられ、遊技球が入球可能な入球口と、
前記遊技盤の後面より後側に後面が位置する状態で配設され、前記入球口への遊技球の入球に基づいて遊技演出を実行する演出装置と、
表面に電気部品が設けられた回路基板をケース部材の内側に収容保持してなる基板ユニットとを備えた遊技機において、
前記基板ユニットを前記遊技盤の後方から後面に近づく方向へ受け入れ、前記基板ユニットを前記回路基板の前記表面が前記遊技盤の後面に対して交差する姿勢で着脱可能に保持する保持機構部を備え、
前記保持機構部は、前記遊技盤の後面から遠ざかる方向への前記基板ユニットの変位を規制する規制状態、および、前記遊技盤の後面から遠ざかる方向への前記基板ユニットの変位を許容する許容状態に変更可能な離脱規制手段を有する
ことを特徴とする遊技機。
【請求項２】
前記保持機構部は、
前記基板ユニットの一端部に係合する凸状または凹状の係合部と、
前記係合部に対して前記基板ユニットの設置領域を挟んで対向する位置に後方へ向けて延在するよう形成され、該係合部との係合解除方向への基板ユニットの変位を規制する第１規制部と、
前記係合部および第１規制部の対向方向に直交する方向において前記設置領域の一方縁部から後方へ延在するよう形成され、該設置領域の一方縁部側への前記基板ユニットの変位を規制する第２規制部と、
前記係合部および第１規制部の対向方向に直交する方向において前記設置領域の他方縁部から後方へ向けて延在するよう形成され、該設置領域の他方縁部側への前記基板ユニットの変位を規制する第３規制部とを備え、
前記係合部および前記第１〜第３規制部により前記遊技盤の後面に沿う方向への前記基板ユニットの変位を規制するよう構成されている請求項１に記載の遊技機。
【請求項３】
前記第１規制部、第２規制部および第３規制部のうち少なくとも何れかは、前記設置領域側の壁面として、後方へ向かうにつれて前記設置領域から遠ざかるよう傾斜する案内面が設けられている請求項２に記載の遊技機。
【請求項４】
前記遊技盤の後面に対する後方への突出高さが相違するよう前記第２規制部および第３規制部が夫々突設されている請求項２または３に記載の遊技機。
【請求項５】
前記第２規制部および第３規制部に、後方へ向かうにつれて前記設置領域から遠ざかるよう傾斜する案内面が夫々形成される請求項４に記載の遊技機。
【請求項６】
前記第２規制部は、前記係合部および第１規制部の対向方向に離間するよう複数設けられると共に、
前記第３規制部は、前記設置領域を挟んで前記複数の第２規制部の間の領域に対向するよう設けられている請求項２〜５の何れか一項に記載の遊技機。
【請求項７】
前記離脱規制手段は、前記設置領域を挟んで前記第２規制部または第３規制部に対向するよう形成され、当該離脱規制手段が前記基板ユニットを対向する規制部側に押圧するよう構成されている請求項２〜６の何れか一項に記載の遊技機。
【発明の詳細な説明】
【技術分野】
【０００１】
本発明は、回路基板を備えた遊技機に関するものである。
【背景技術】
【０００２】
代表的な遊技機であるパチンコ機は、遊技球が流下する遊技領域を前面に形成した遊技盤が本体枠にセットされると共に、遊技領域へ遊技球を打ち出すための操作ハンドルや、前方から遊技領域を透視可能に保護する窓部が前側に設けられることで、遊技者が操作ハンドルを操作しながら窓部を通じて遊技領域での遊技球の挙動を視認し得る構成とされている。このパチンコ機において、遊技盤の遊技領域には、遊技球が入球可能な始動口等の入球口が設けられており、遊技者の打ち出した遊技球が遊技領域を流下する過程で入球口へ入球し得るようになっている。一方、遊技盤の後面側には、入球口への遊技球の入球をトリガとして演出を行う図柄表示装置等の演出装置が、遊技盤の前後に貫通する開口を介して遊技領域に臨む状態で配設されている(例えば、特許文献１参照)。
【先行技術文献】
【特許文献】
【０００３】
【特許文献１】特開２０１２−２２３６３３号公報
【発明の概要】
【発明が解決しようとする課題】
【０００４】
近年のパチンコ機では、遊技に関する各種演出を効果的に表現し得るよう大型の前記演出装置が採用される傾向にある。これに伴い遊技盤の後面側では、演出装置の設置スペースが大きな領域を占めることとなり、結果的に遊技盤の後面側において他の構造物を設置するスペースが制限されている。ここで、遊技盤の後面側に配設される構造物として、遊技に関する各種動作を実行する主制御装置やサブ統括制御装置等の基板ユニットが挙げられる。これらの基板ユニットは通常、表面にＣＰＵ等の電気部品が取り付けられた制御基板(回路基板)を収容することで比較的大きな設置スペースを要する構成とされており、制御基板の表面がパチンコ機の後方または前方を向くようにして設置されている。
【０００５】
遊技盤の後面側におけるスペースが制限された状況下で前記基板ユニットを設置する場合において、制御基板の電気部品や回路を省略することは基本的にできないから、制御基板の薄型化や小型化を図ることには限界がある。また、基板ユニットの設置状態が良好でないと、脱落やぐらつき等に起因して基板ユニットや配線の損傷が生じることも考えられるから、基板ユニットの保持機構は少なくとも基板ユニットを固定状態で安定的に保持し得るものでなくてはならず、安易に保持機構を簡略化してスペースの向上を図ることは適当でない。すなわち、近年のパチンコ機では、演出装置が従来よりも大型化した影響を受けて遊技盤の後面側のスペースが制限されており、そのような状況において基板ユニットの設置スペースを確保できる構造が求められる。
【０００６】
そこで本発明は、従来の技術に内在する前記問題に鑑み、これを好適に解決するべく提案されたものであって、遊技盤の後面側に基板ユニットの設置スペースを確保し得る遊技機を提供することを目的とする。
【課題を解決するための手段】
【０００７】
前記課題を克服し、所期の目的を達成するため、本願請求項１に係る遊技機は、
遊技球が流下可能な遊技領域(20a)が形成された遊技盤(20)と、
前記遊技領域(20a)に設けられ、遊技球が入球可能な入球口(41a,41b)と、
前記遊技盤(20)の後面より後側に後面が位置する状態で配設され、前記入球口(41a,41b)への遊技球の入球に基づいて遊技演出を実行する演出装置(18)と、
表面に電気部品(73)が設けられた回路基板(72)をケース部材(71)の内側に収容保持してなる基板ユニット(70)とを備えた遊技機において、
前記基板ユニット(70)を前記遊技盤(20)の後方から後面に近づく方向へ受け入れ、前記基板ユニット(70)を前記回路基板(72)の前記表面が前記遊技盤(20)の後面に対して交差する姿勢で着脱可能に保持する保持機構部(90)を備え、
前記保持機構部(90)は、前記遊技盤(20)の後面から遠ざかる方向への前記基板ユニット(70)の変位を規制する規制状態、および、前記遊技盤(20)の後面から遠ざかる方向への前記基板ユニット(70)の変位を許容する許容状態に変更可能な離脱規制手段(107)を有する
ことを特徴とするものである。
【０００８】
請求項１に係る発明によれば、回路基板の表面(電気部品の実装面)が遊技盤の後面に対して交差する姿勢で保持機構部が基板ユニットを保持することで、基板ユニットを設置するのに必要な領域の縦幅または横幅が抑えられる。従って、遊技盤の後面側に基板ユニットの設置スペースを容易に確保し得る。また、保持機構部が、離脱規制手段が遊技盤の後面から遠ざかる方向への基板ユニットの変位を規制する規制状態と、遊技盤の後面から遠ざかる方向への基板ユニットの変位を許容する許容状態とに変更可能な離脱規制手段を有することで、保持機構部から基板ユニットが離脱することを防止し得る。
【０００９】
請求項２に係る発明は、前記保持機構部(90)は、
前記基板ユニット(70)の一端部(48)に係合する凸状または凹状の係合部(95)と、
前記係合部(95)に対して前記基板ユニット(70)の設置領域(90a)を挟んで対向する位置に後方へ向けて突設され、該係合部(95)との係合解除方向への基板ユニット(70)の変位を規制する第１規制部(98)と、
前記係合部(95)および第１規制部(98)の対向方向に直交する方向において前記設置領域(90a)の一方縁部から後方へ向けて突設され、該設置領域(90a)の一方縁部側への前記基板ユニット(70)の変位を規制する第２規制部(102)と、
前記係合部(95)および第１規制部(98)の対向方向に直交する方向において前記設置領域(90a)の他方縁部から後方へ向けて突設され、該設置領域(90a)の他方縁部側への前記基板ユニット(70)の変位を規制する第３規制部(105)とを備え、
前記係合部(95)および前記第１〜第３規制部(95,98,105)により前記遊技盤(20)の後面に沿う方向への前記基板ユニット(70)の変位を規制するよう構成されていることを要旨とする。
【００１０】
請求項２に係る発明によれば、基板ユニットの一端部が係合する係合部と、基板ユニットの一端部と係合部との係合が解除される方向への基板ユニットの変位を規制する第１規制部を設けることで、基板ユニットの一端部を係合部により保持し得ると共に、基板ユニットの一端部と係合部との係合が解除されるのを第１規制部により防止し得る。また、係合部および第１規制部の対向方向に直交する方向における設置領域の両縁部に沿うよう第２規制部および第３規制部を夫々設けることで、保持機構部に基板ユニットを保持させる際の案内壁として第２規制部および第３規制部を用いることができるから、基板ユニットの一端部を容易に係合部に係合させることができると共に、係合部に一端部が係合した基板ユニットの他端部を容易に設置領域に案内することができ、基板ユニットを保持機構部へ設置する際の操作性を向上させ得る。
【００１１】
請求項３に係る発明は、前記第１規制部(98)、第２規制部(102)および第３規制部(105)のうち少なくとも何れかは、前記設置領域(90a)側の壁面として、後方へ向かうにつれて前記設置領域(90a)から遠ざかるよう傾斜する案内面(98b,102b,105b)が設けられていることを要旨とする。
【００１２】
請求項３に係る発明によれば、第１〜第３規制部の少なくとも何れかの設置領域側に、後方へ向かうにつれて設置領域から遠ざかるよう傾斜する案内面を設けることで、設置領域へ向けて移動してくる基板ユニットの前部を案内面で受けて設置領域の前端側へ導くことができるから、保持機構部に対して基板ユニットを容易に保持させることができる。
【００１３】
請求項４に係る発明は、前記遊技盤(20)の後面に対する後方への突出高さが相違するよう前記第２規制部(102)および第３規制部(105)が夫々突設されていることを要旨とする。
【００１４】
請求項４に係る発明によれば、遊技盤の後面に対する後方への突出高さが相違するよう第２規制部と第３規制部とが設けられることにより、第２規制部および第３規制部の後端が互いに離間して基板ユニットを受け入れ易い大きな挿入口を形成できるから、基板ユニットの一端部を係合部に係合させる際の操作性を向上させ得る。
【００１５】
請求項５に係る発明は、前記第２規制部(102)および第３規制部(105)に、後方へ向かうにつれて前記設置領域(90a)から遠ざかるよう傾斜する案内面(102b,105b)が夫々形成されることを要旨とする。
【００１６】
請求項５に係る発明によれば、遊技盤の後面に対する後方への突出高さが相違する第２規制部と第３規制部に、後方へ向かうにつれて設置領域から遠ざかるよう傾斜する案内面を設けることで、第２規制部および第３規制部の後端が互いに離間して基板ユニットを受け入れ易い大きな挿入口を形成できると共に、設置領域へ向けて移動させた基板ユニットを案内面で受けて設置領域へ導くことができるから、基板ユニットの取付作業性を向上させ得る。
【００１７】
請求項６に係る発明は、前記第２規制部(102)は、前記係合部(72)および第１規制部(98)の対向方向に離間するよう複数設けられると共に、
前記第３規制部(105)は、前記設置領域(90a)を挟んで前記複数の第２規制部(102)の間の領域に対向するよう設けられていることを要旨とする。
【００１８】
請求項６に係る発明によれば、複数の第２規制部を係合部および第１規制部の間で離間して設けると共に、第３規制部を複数の第２規制部の間の領域に対して設置領域を挟んで対向するよう設けることで、第２規制部および第３規制部が基板ユニットの周囲全てを覆わないようにしたから、基板ユニットの視認性が良好に維持されて基板ユニットの状態を容易に確認できると共に、基板ユニット周辺における空気の流通が良好に維持されて回路基板の高温化に起因する不具合を防止できる。
【００１９】
請求項７に係る発明は、前記離脱規制手段(107)は、前記設置領域(90a)を挟んで前記第２規制部(102)または第３規制部(105)に対向するよう形成され、当該離脱規制手段(107)が前記基板ユニット(70)を対向する規制部(102)側に押圧するよう構成されていることを要旨とする。
【００２０】
請求項７に係る発明によれば、離脱規制手段が基板ユニットを壁部へ向けて押圧することで、基板ユニットを規制部に当接させることができるから、基板ユニットを規制部および離脱規制手段により支持して基板ユニットの保持状態を安定させることができる。
【発明の効果】
【００２１】
本発明に係る遊技機によれば、遊技盤の後面側に基板ユニットの設置スペースを確保し得る。
【図面の簡単な説明】
【００２２】
【図１】本発明の実施例に係るパチンコ機を示す正面図である。
【図２】実施例に係るパチンコ機を示す背面図である。
【図３】実施例に係る遊技盤の正面図である。
【図４】実施例に係る遊技盤の背面図である。
【図５】実施例に係る遊技盤を後側から見た分解斜視図である。
【図６】実施例に係る設置部材を後側から見た斜視図である。
【図７】実施例に係る保持機構部の形成位置を拡大して示す遊技盤の背面図である。
【図８】図７の要部拡大図である。
【図９】実施例に係る設置部材におけるセンサ保持部の拡大図であって、(ａ)は後側から見た斜視図であり、(ｂ)は図２におけるＡ−Ａ線断面の要部拡大図であり、(ｃ)は図７におけるＢ−Ｂ線断面の要部拡大図である。
【図１０】実施例に係る遊技盤の左側面図である。
【図１１】実施例に係る統括制御装置を示し、(ａ)は表面板側から視た図であり、(ｂ)は前面板側から視た図であり、(ｃ)は上面板側から見た図である。
【図１２】図７におけるＢ−Ｂ線断面の要部拡大図である。
【図１３】図１２の要部拡大図である。
【図１４】図７における設置部材のＣ−Ｃ線断面の要部拡大図である。
【図１５】実施例に係る保持機構部を示し、(ａ)は係合凹部および上壁部の関係を示す説明図であり、(ｂ)は図７におけるＤ−Ｄ線断面図である。
【図１６】(a)は弾性係止片を後方から視た斜視図であり、(b)は弾性係止片と基板ユニットのストッパ突部との関係を示す説明図である。
【図１７】図７における設置部材のＥ−Ｅ線断面の要部拡大図である。
【発明を実施するための形態】
【００２３】
次に、本発明に係る遊技機につき、好適な実施例を挙げて、添付図面を参照しながら以下詳細に説明する。なお、遊技機としては、一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００２４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられると共に、該遊技盤２０の裏側に、各種図柄を変動表示可能な演出実行手段としての図柄表示装置１８が着脱可能に配設されている。また、前記中枠１２の前面側には、前記遊技盤２０を透視保護するガラス板や透明な合成樹脂材により形成された透視保護板(図示せず)で前後に開口する窓口１３ａを覆うよう構成された装飾枠としての前枠１３が開閉可能に組み付けられている。また、前枠１３における窓部の下部位置には、パチンコ球を貯留可能な球受け皿１４,１５が設けられており、前枠１３と一体的に球受け皿１４,１５を開閉し得るようになっている。実施例の前枠１３には、上球受け皿１４および下球受け皿１５が上下の位置関係で組み付けられている。なお、前記球受け皿１４,１５は、前枠１３とは個別に中枠１２に組み付けるものでもよく、１枚の球受け皿１４,１５のみを設ける構成であってもよい。
【００２５】
また、前記前枠１３の右下方位置には、前記中枠１２に配設された打球発射装置(図示せず)を作動させる操作ハンドル１７が設けられている。前記操作ハンドル１７は、左回転方向に付勢された操作レバー１７ａを備えており、該操作レバー１７ａを右回転させるよう遊技者が回動操作することで打球発射装置が作動されて、前記上球受け皿１４に貯留されたパチンコ球が前記遊技盤２０の遊技領域２０ａに向けて発射されるようになっている。
【００２６】
(中枠１２について)
図２に示すように、前記中枠１２は、全体が外枠１１の開口領域に整合する形状および大きさに形成されており、ヒンジ機構１９を介して中枠１２の左側が外枠１１に対して回動自在に支持されている。また、中枠１２には、前後に開口する遊技盤保持部１２ａ(図示せず)が画成されており、当該遊技盤保持部１２ａに対して遊技盤２０が着脱自在に保持されている。これにより、パチンコ機１０の前面側から前枠１３の窓部を介して遊技盤２０を目視し得るようになっている。なお、図１において、遊技盤２０の前面に配設されている各種の遊技部品は、後述する案内レール２１を除いて図示省略してある。
【００２７】
また、中枠１２の後方上部位置には、図２に示すように、一定数のパチンコ球を貯留可能な貯留タンク１３０が配設されており、遊技店に設けられた球供給設備から必要に応じて供給されたパチンコ球を貯留タンク１３０内に一定数貯留し得るようになっている。前記貯留タンク１３０は、前記中枠１２の左右方向の略全幅に亘って延在するよう形成されると共に、貯留タンク１３０のタンク底面が中枠１２の一側部(実施例ではヒンジ機構１９側となる左側部)へ向けてタンク底面が下方傾斜するよう形成されて、貯留したパチンコ球が一定方向へ流れるよう構成されている。また、前記中枠１２における遊技盤保持部１２ａの下方位置には、一側部(実施例ではヒンジ機構１９側となる左側部)に偏った位置に、前記上下の球受け皿１４,１５連通する球誘導部１３４が設けられている。そして、パチンコ球が通過可能な球通路１３２ａが形成された球通路ユニット１３２が、前記貯留タンク１３０の下流端部(貯留タンク１３０の左側端部)と前記球誘導部１３４とを掛け渡すよう設けられている。
【００２８】
この球通路ユニット１３２は、前記貯留タンク１３０および球誘導部１３４の夫々に球通路１３２ａが連通するよう構成されると共に当該球通路１３２ａの経路途中に球払出装置１３６が配設されており、払出制御装置１４０からの制御信号に基づいて球払出装置１３６が作動することにより、貯留タンク１３０に貯留されたパチンコ球が上下の球受け皿１４,１５へ払い出されるよう構成されている。ここで、前記球通路ユニット１３２は、前記遊技盤保持部１２ａ(遊技盤２０)から後方に離間した位置を跨ぐよう鉛直方向に延在している(図２参照)。すなわち、前記中枠１２には、球通路ユニット１３２の配設域の前方に重なるよう横幅の大きな遊技盤保持部１２ａが形成されると共に、当該遊技盤保持部１２ａから後方に離間した位置に球通路ユニット１３２が配置されることで、左右寸法および前後寸法の大きな遊技盤２０を設置し得るようになっている。なお、前記中枠１２の裏面側における遊技盤保持部１２ａよりも下方には、パチンコ機１０の電源制御を行う電源制御装置１３８や、パチンコ球の払出制御を行う払出制御装置１４０、パチンコ球の発射制御を行う発射制御装置１４２等の各種制御装置が配設されている。
【００２９】
(遊技盤２０について)
前記遊技盤２０は、図３〜図５に示すように、前記中枠１２の遊技盤保持部１２ａに整合する所定板厚の木材板や合成樹脂材からなる板状に形成され、該遊技盤２０の表面(盤面)に配設された略円形状に湾曲した案内レール２１により、パチンコ球が流下可能な遊技領域２０ａが画成されている。また、前記遊技盤２０には、打球発射装置により発射されたパチンコ球を遊技領域２０ａへ誘導する発射通路が遊技領域２０ａの外周に沿って形成されている。遊技盤２０には、前後に貫通する装着口(図示せず)が前記遊技領域２０ａ内に複数開設されており、各装着口に対して各種の遊技盤設置部品(具体的には後述する枠状装飾体３０等の装飾部材や、始動入賞装置４０および特別入賞装置４５等の入賞装置)が取り付けられると共に、遊技領域２０ａの最下部位置には、該遊技領域２０ａに打ち出されたパチンコ球を排出するアウト口２３が開設されている。そして、前記遊技盤２０には、前記遊技領域２０ａ内に多数の遊技釘２５が植設されており、遊技領域２０ａを流下するパチンコ球が遊技釘２５に接触することでパチンコ球の流下方向を不規則に変化させたり、パチンコ球を一定方向に誘導するようになっている。なお、前記装着口の形成数や大きさは、遊技盤２０に取り付けられる各種遊技盤２０設置部品の個数や配設位置等により必要に応じて適宜に決定される。そして、前記遊技盤２０の裏側に配設された設置部材５０に、前記図柄表示装置１８や主制御基板が収容された主制御装置５７、統括制御基板が収容された統括制御装置７０等が着脱自在に配設されている(図５参照)。
【００３０】
ここで、前記遊技盤２０には、前記遊技領域２０ａの略中央に、前後に開口する表示窓口３０ａが形成された枠状装飾体３０(図３参照)が取り付けられており、該枠状装飾体３０の表示窓口３０ａを介して図柄表示装置１８の表示部が遊技盤２０の前面側に臨むよう構成されている。前記枠状装飾体３０は、前記装着口の開口縁に沿って延在する環状に形成されると共に、上縁部から左右両側縁部に亘り、遊技盤２０の前面より前方に突出する庇状部３１が連続的に設けられており、前記遊技領域２０ａに打ち出されたパチンコ球を庇状部３１に沿って枠状装飾体３０の左右側部へ案内することで、該パチンコ球が表示窓口３０ａを横切って流下するのを規制している。なお、枠状装飾体３０には、前記表示窓口３０ａの開口下縁側にパチンコ球が左右に転動可能なステージ３２が配設されると共に、該表示窓口３０ａの左側に、遊技領域２０ａに開口する球導入部３３が設けられており、該遊技領域２０ａを流下するパチンコ球を球導入部３３から取込んでステージ３２に案内し得るよう構成されている。なお、前記ステージ３２には、前記始動入賞装置４０の上方位置に、該始動入賞装置４０に向けてパチンコ球を排出する排出部３２ａが設けられている。
【００３１】
また、前記遊技盤２０には、図３に示すように、遊技領域２０ａを流下するパチンコ球が入賞可能な始動入賞装置４０や特別入賞装置４５が取り付けられている。前記始動入賞装置４０は、遊技領域２０ａ内で常に開口する入球口としての第１始動入賞口４１ａと、開閉部材(開閉手段)４２の動作により遊技領域２０ａへの開状態を切替可能な入球口としての第２始動入賞口４１ｂとが設けられている。前記開閉部材４２は、前記枠状装飾体３０の左側方に設けられたゲート部材３５をパチンコ球が通過(入球)したことを契機として開閉駆動されるよう構成されており、当該開閉部材４２が開放状態となることで第２始動入賞口４１ｂへのパチンコ球の入賞を許容するようになっている。また、前記特別入賞装置４５は、遊技領域２０ａに開口する特別入賞口４６を開閉自在に閉成する開閉扉(開閉手段)４７を備えており、駆動手段としての図示しないソレノイドの駆動に伴って開閉扉４７が作動することで特別入賞口４６が開放するよう構成されている。そして、前記始動入賞装置４０の第１始動入賞口４１ａまたは第２始動入賞口４１ｂにパチンコ球が入賞することで、主制御装置５７および統括制御装置７０による所定の制御に基づき、前記図柄表示装置１８の図柄を変動表示する図柄変動演出が展開され、該図柄変動演出の結果、図柄表示装置１８に所定の図柄組み合わせ(例えば同一図柄の３つ揃い等)で図柄が確定的に停止表示されると、特別遊技(大当り)が発生して前記特別入賞装置４５が開放し、遊技者が多数の賞球を獲得可能な機会が与えられるようになっている。実施例では、前記遊技盤２０において、枠状装飾体３０の下方位置(左右中央の下方位置)に前記始動入賞装置４０が配設されると共に、始動入賞装置４０の下方位置に前記特別入賞装置４５が配設されている。
【００３２】
(設置部材５０について)
前記遊技盤２０の裏面に配設される前記設置部材５０は、図５、図６に示すように、遊技盤２０に対向する対向面部５１と、該対向面部５１の外周縁部から前方へ延出する外周壁部５２とから前方へ開口する矩形箱状に形成されている。そして、前記外周壁部５２の前端部に、外側方へ延出するフランジ部５３が複数箇所に形成されており、遊技盤２０の裏側に当接させたフランジ部５３をネジ固定することで、当該遊技盤２０に設置部材５０が取り付けられるようになっている。また、前記設置部材５０における対向面部５１の前面側(すなわち、遊技盤２０および設置部材５０により画成される空間内)には、各種の演出装置や遊技に供されたパチンコ球を排出案内する球排出経路部材等の図示しない各種遊技部品が設置されて、設置部材５０を基材とする１つのユニットとして扱い得るようになっている。このように、前記設置部材５０は、図柄表示装置１８や演出装置等のパチンコ機１０の遊技演出に関わる各種演出装置の設置手段として機能している。前記図柄表示装置１８は、前記第１始動入賞口４１ａまたは第２始動入賞口４１ｂへのパチンコ球の入賞に基づいて実行される大当り抽選の結果を表示するものであり、実施例では外表面に複数の図柄が表示された円筒状の３つの図柄ドラムを回転駆動することで、図柄変動演出を実行するよう構成されている。この図柄表示装置１８は、図柄ドラムの直径に応じて前後幅が比較的大きなものとなっており、遊技盤２０の後面側に取着されている設置部材５０に対して着脱可能に設置される。なお、図柄表示装置１８としてはリール式に限られず、液晶表示装置やドットマトリックス式の表示装置等のような図柄を表示するタイプの図柄表示装置１８を採用してもよい。
【００３３】
また、前記設置部材５０には、図６に示すように、前記対向面部５１における前記枠状装飾体３０の表示窓口３０ａと前後に並ぶ位置に、前後に開口する設置開口部５１ａが開設されている。すなわち、前記設置部材５０における箱状の本体部分は、設置開口部５１ａの上部を形成する第１枠体部５０ａと、該設置開口の下部を形成する第２枠体部５０ｂと、設置開口部５１ａの左側部(図６では設置開口部５１ａの右側部)を形成すると共に第１枠体部５０ａおよび第２枠体部５０ｂの左部の夫々に連設した第３枠体部５０ｃと、設置開口部５１ａの右側部(図６では設置開口部５１ａの左側部)を形成すると共に第１枠体部５０ａおよび第２枠体部５０ｂの右部の夫々に連設した第４枠体部５０ｄとからなっており、各枠体部の前面および後面に対して、前記各種遊技部品を設置し得るようになっている。そして、前記設置開口部５１ａを挟んで左右に対向する第３枠体部５０ｃおよび第４枠体部５０ｄに、前記図柄表示装置１８を着脱可能に保持する表示装置保持部５４が設けられており、該表示装置保持部５４に保持された図柄表示装置１８の表示部が設置開口部５１ａおよび枠状装飾体３０の表示窓口３０ａを介して遊技盤２０前面に臨むようになっている。なお実施例では、前記設置開口部５１ａの開口内側に位置するよう前記図柄表示装置１８が配設されて、設置部材５０の前後方向に図柄表示装置１８が突出している。
【００３４】
ここで、前記設置部材５０の第２枠体部５０ｂには、図６に示すように、前記遊技盤２０に配設された各種電気部品７３と主制御装置５７とを中継接続する中継基板をケース部材に収容した中継基板ユニット５５が後面に設置されている。そして、前記中継基板ユニット５５の後方を覆うよう前記第２枠体部５０ｂに取付ベース部材５６が配設されて、該取付ベース部材５６の後面に前記主制御装置５７を設置するよう構成されている。この中継基板ユニット５５の中継基板には、前記各入賞口に入賞したパチンコ球検出用の入賞検出センサ(図示せず)や、ゲート部材３５を通過するパチンコ球検出用のゲートセンサ３６が配線接続されると共に、磁気センサ６１や電波センサ(図示せず)等の異常検出センサ等が配線接続されている。そして、前記設置部材５０(第３枠体部５０ｃ)の左側方(図６では右側方)に設けられた保持機構部９０(後述)に、前記主制御装置５７からの制御信号に基づいて制御処理を実行する前記統括制御装置７０が縦置き姿勢で設置されている。なお、統括制御装置７０は、前記図柄表示装置１８で行われる図柄変動演出や、スピーカからの音声出力や、パチンコ機１０が備える各種発光装置の発光制御を行う制御装置である。
【００３５】
(切欠部５３ａについて)
図４、図７に示すように、前記設置部材５０には、該設置部材５０の左側面をなす外周壁部５２(第３枠体部５０ｃを形成する外周壁部５２)の前端部に、前記フランジ部５３が上下に離間する複数箇所から外側方へ向けて延出するよう形成されている。すなわち、設置部材５０の第３枠体部５０ｃに形成されるフランジ部５３には、外側端から外周壁部５２側に凹む切欠部５３ａが設けられており、遊技盤２０に設置部材５０を設置した際に、遊技盤２０の前後に貫通形成されたセンサ収容部３７が切欠部５３ａの内側で開口するよう構成されている。ここで、センサ収容部３７は、前記ゲート部材３５の配設位置に対応して形成されており、当該センサ収容部３７の内部に、当該ゲート部材３５を通過するパチンコ球検出用のゲートセンサ３６を収容するようになっている。すなわち、ゲートセンサ３６は、遊技盤２０の後面側から切欠部５３ａを介して着脱し得るよう配設されている。なお、ゲートセンサ３６から引き出される配線Ｈ１は、第３枠体部５０ｃの外周壁部５２の前後に延在するよう設けられた第１配線通路５８を通過するよう、該第１配線通路５８に沿って設けられた複数の配線保持片５８ａに保持され、該配線Ｈ１の先端側のコネクタが前記中継基板ユニット５５の中継基板に接続されている。
【００３６】
(センサ保持部６３について)
図７、図８に示すように、前記切欠部５３ａの下方に位置するフランジ部５３には、遊技領域２０ａに発生した磁気を検知する磁気センサ６１を着脱可能に保持するセンサ保持部６３が設けられている。磁気センサ６１は、磁気を検出するセンサ部が設けられた細長い四角柱状のセンサ本体６１ａと、磁気センサ６１に対する配線Ｈ２が接続される接続部６１ｂとを備えており、当該接続部６１ｂがセンサ本体６１ａに対して後方(図９(c)では左)へ偏った鉤状に形成されている。この磁気センサ６１は、遊技領域２０ａにおける前記球導入部３３の入口近傍の裏側に位置するよう配設されており、磁石等を利用した不正行為(例えば、パチンコ球を停滞させて後続のパチンコ球を球導入部３３へ誘導する行為)を磁気センサ６１で検出し得るよう構成される。
【００３７】
前記センサ保持部６３は、図８に示すように、磁気センサ６１の上下移動を規制する上側突出片６４および下側突出片６５と、前記外周壁部５２に近接する右方向(図８の左方向)への磁気センサ６１の移動を規制する側部突出片６６と、該外周壁部５２から離間する左方向(図８の右方向)への磁気センサ６１の移動および後方への移動を規制する係止フック６７とから構成されている。ここで、前記上下の突出片６４,６５および側部突出片６６は、前記設置部材５０(第３枠体部５０ｃ)の外周壁部５２からフランジ部５３側へ向けて線状に延在すると共に、該側部突出片６６の延在長よりも上下の突出片６４,６５の延在長が長くなるよう形成されている。そして、上下の突出片の離間距離が前記磁気センサ６１におけるセンサ本体６１ａの長手方向の長さに合うよう形成されており、当該上下の突出片６４,６５の間に臨ませたセンサ本体６１ａの側端部に前記側部突出片６６の端部が当接するようになっている。
【００３８】
前記係止フック６７は、図９に示すように、前記設置部材５０(第３枠体部５０ｃ)の外周壁部５２からフランジ部５３側へ向けて前後方向に弾性変形可能に延出する弾性片６７ａの延出端部に、前方へ突出する係止突片６７ｂが形成されている。前記係止フック６７の弾性片６７ａは、前記磁気センサ６１のセンサ本体６１ａの前後の厚み分だけ前記フランジ部５３から後方に離間するよう形成されており、該弾性片６７ａとフランジ部５３との間に臨ませたセンサ本体６１ａの後方への移動を規制するようになっている。また、前記弾性片６７ａとフランジ部５３との間に臨ませた磁気センサ６１のセンサ本体６１ａを前記側部突出片６６の端部に当接させた際に、当該センサ本体６１ａにおける他方の端部に前記係止突片６７ｂが係合して、前記外周壁部５２から離間する方向へセンサ本体６１ａの後方が移動するのを規制するようになっている。また、前記弾性片６７ａは、上下に離間する２箇所に形成されて、当該弾性片６７ａの間に作業者の手指を差し込み得るよう構成されている。すなわち、前記係止突片６７ｂを後方へ押圧して係止フック６７(弾性片６７ａ)を弾性変形させ、当該係止突片６７ｂとセンサ本体６１ａとの係合を解除した状態で、一対の弾性片６７ａの間に差し込んでセンサ本体６１ａを横方向へ押圧することで、センサ保持部６３から磁気センサ６１を容易に取り外し得るようになっている。
【００３９】
また、図８、図９に示すように、前記上下の突出片６４,６５の夫々には、前記外周壁部５２から離間する端部に、対応する上下の突出片６４,６５から離間するにつれて末広がりとなる傾斜状に延在する一対の案内リブ６８が連設されている。すなわち、上下の案内リブ６８の間に臨ませた磁気センサ６１のセンサ本体６１ａをフランジ部５３に沿って摺動した際に、当該上下の案内リブ６８によりセンサ本体６１ａを上下の突出片６４,６５の間に誘導し得るようになっている。なお、上側突出片６４およびこれに対応した上側の案内リブ６８は、前記磁気センサ６１における凹状部の前後の幅よりも大きな突出寸法となるようフランジ部５３に形成されており、磁気センサ６１が上下逆さに取り付けられる不具合が防止されている。なお、この磁気センサ６１から引き出される配線Ｈ２は、第３枠体部５０ｃの外周壁部５２の前後に延在するよう設けられた第２配線通路５９を通過するよう、該第２配線通路５９に沿って設けられた複数の配線保持片５９ａに保持され、該配線Ｈ２の先端側のコネクタが前記中継基板ユニット５５の中継基板に接続されている。
【００４０】
(設置部材５０に対する制御装置の設置構造について)
次に、回路基板７２をケース部材の内側に収容保持した基板ユニットの設置構造について説明する。実施例では、前記設置部材５０に配設される制御装置の設置構造について説明する。
【００４１】
(統括制御装置７０について)
図１０、図１１に示すように、前記統括制御装置７０は、ＣＰＵやＲＯＭ、コンデンサ等の各種電気部品７３が搭載された回路基板７２(図１２、図１３参照)を透明な基板ケース(ケース部材)７１の内部に収容保持した縦長矩形箱状の基板ユニットとして構成されている。なお、前記回路基板７２は、矩形板状に形成されると共に、ＣＰＵやＲＯＭ、コンデンサ等の主要な電気部品７３が回路基板７２の一方側の面(表面、実装面７２ａ)に集約して搭載してある。そして、前記回路基板７２の端部(長辺側端部)が遊技盤２０の後面に向くと共に当該回路基板７２の実装面７２ａが第２枠体部５０ｂ側を向く縦向き姿勢で、前記保持機構部９０を介して統括制御装置７０が設置部材５０に配設されるよう構成されている。すなわち、統括制御装置７０は、回路基板７２の実装面７２ａが前記遊技盤２０の後面に対して交差する姿勢で設置部材５０に対して着脱可能に保持されている。なお、以下の統括制御装置７０の基板ケース７１に関する説明では、設置部材５０(保持機構部９０)に対する取付姿勢を基準として、前後、左右および上下を指称するものとする。また、前記基板ケース７１において回路基板７２の実装面７２ａと対向する板部を表面板７５と指称すると共に反対側の板部を裏面板７６と指称する。
【００４２】
前記基板ケース７１の上面板７７および下面板７８には、図１１に示すように、前記回路基板７２が収容される収容空間７１ａに貫通する複数の通孔７７ａ,７８ａが形成されており、回路基板７２に設けた電気部品７３の発熱に伴って上面板７７の通孔７７ａから収容空間７１ａの内部空気を排出させると共に下面板７８の通孔７８ａから収容空間７１ａ内へ外部空気が流入する自然循環を行い得るよう構成されている。また、前記基板ケース７１の表面板７５に対しては、上下方向に延在する縦長スリット状の通孔７５ａが当該表面板７５の上半部に偏って形成されている。そして、基板ケース７１の表面板７５の下半部(通孔７５ａの形成領域の下部側)が、前記保持機構部９０(後述する第２側方規制部１０５)が基板ケース７１を支持する際の支持面として機能するよう構成されている。すなわち、前記基板ケース７１における表面板７５の上半部に通孔７５ａを偏って形成することで、ケース内外の空気循環の効率を高めると共に、前記保持機構部９０で支持された基板ケース７１の支持安定性を向上している。なお、前記回路基板７２の実装面７２ａには、後縁部に沿って複数のコネクタ７２ｂが配置されると共に、前記基板ケース７１の表面板７５には、当該回路基板７２のコネクタ７２ｂをケース外部に露出させるコネクタ開口７５ｂが対応して形成されている。
【００４３】
前記基板ケース７１には、図１１に示すように、前記保持機構部９０(後述する係合凹部９５)に対して係脱可能に係合して保持される下係合部８２と、保持機構部９０(後述する把持部)に対して係脱可能に係合して保持される上係合部８３とが設けられており、下係合部８２および上係合部８３を保持機構部９０と係合させることで、基板ケース７１の上下方向への変位が規制されるようになっている。ここで、前記下係合部８２は、前記下面板７８の前端部から下方へ突出するよう形成されると共に、前記上係合部８３は、前記上面板７７の前端部から上方へ突出するよう形成されている。なお、以下の説明では、便宜上、下係合部８２を下側突部８２と指称し、上係合部８３を上側突部８３と指称する。ここで、前記上側突部８３の前後幅Ｗ２は、前記下側突部８２の前後幅Ｗ１より大きく設定されると共に、該下側突部８２が差し込まれる前記保持機構部９０(係合凹部９５)における係合口９５ａの前後の開口幅Ｗ４(図１４)よりも大きく形成されており、当該上側突部８３を係合口９５ａに差し込み不能に構成されている。なお、前記下側突部８２および上側突部８３の夫々は、対応する下面板７８および上面板７７の左右全幅に亘って突出するよう形成されており、当該下側突部８２および上側突部８３の左右幅が基板ケース７１の左右幅Ｗ３と略同一となるよう設定されている。
【００４４】
また、図１１に示すように、前記基板ケース７１には、前記保持機構部９０(後述する弾性係止片１０７)に対して係脱可能に係合して保持されるストッパ突部８４が設けられており、該ストッパ突部８４を保持機構部９０と係合させることで、基板ケース７１の後方への変位が規制されるようになっている。前記ストッパ突部８４は、前記基板ケース７１における表面板７５に、上方に偏って突設されており、当該ストッパ突部８４および保持機構部９０(後述する弾性係止片１０７)の係合位置と、前記下側突部８２および保持機構部９０(係合凹部９５)の係合位置(すなわち基板ケース７１の下端部)とが基板ケース７１の上下方向(長手方向)に離間するよう構成されている。ここで、前記ストッパ突部８４は、前後方向に延在すると共に上下に離間する一対の第１リブ８４ａと、該一対の第１リブ８４ａの後端に連設する第２リブ８４ｂとから形成されており、基板ケース７１を表面板７５側から視た際に略コ字状を呈するようになっている。また、前記ストッパ突部８４(具体的には第１リブ８４ａ)は、該ストッパ突部８４の前端から後端に向けて前記表面板７５からの突出量が大きくなる傾斜状に形成されており、基板ケース７１を保持機構部９０に設置する際に、保持機構部９０の弾性係止片１０７を弾性変形させるよう当該ストッパ突部８４が作用するようになっている。
【００４５】
また、図１１に示すように、前記基板ケース７１の前面板７９には、前記保持機構部９０における後述する設置面９３(図１４参照)に当接する当接支持面７９ａと、該当接支持面７９ａより後方に凹んだ退避面７９ｂとが設けられている。すなわち、基板ケース７１を保持機構部９０に保持した際に、前記前面板７９の当接支持面７９ａが設置面９３に当接して基板ケース７１の前方への変位が規制される一方で、当該前面板７９の退避面７９ｂは設置面９３から離間するようになっている。ここで、前記当接支持面７９ａは、前記前面板７９の上下の端部に位置するよう設けられており、当該上下の当接支持面７９ａの間に、前面板７９の左右全幅に亘って退避面７９ｂが形成されている。また、前記退避面７９ｂには、上下に離間する複数箇所に、前面板７９の左右全幅に亘って延在する突条部７９ｃが形成されており、当該突条部７９ｃにより退避面７９ｂを複数に分断された凹状の逃げ溝が形成されるようになっている。そして、基板ケース７１を保持機構部９０に保持した際に、当該保持機構部９０に設けられた後述する帯状突部９４(図７、図８、図１４参照)が、この逃げ溝に嵌まり込むよう構成されている。なお、前記退避面７９ｂは、表面板７５側の左縁よりも裏面板７６側の右縁が前側に位置するよう傾斜しているのに対し(図１３参照)、前記突条部７９ｃは、前端部が表面板７５および右側板に対して直交(後板に対して平行)するよう設けられ、基板ケース７１の右端から左端に向けて突条部７９ｃが退避面７９ｂから突出する突出高さが次第に増すよう形成されている。また、前記基板ケース７１の前面板７９(当接支持面７９ａ)は、前記下側突部８２および上側突部８３に連続して当該各突部の前面をなすよう形成されている。
【００４６】
(保持機構部９０について)
次に、前記設置部材５０に形成される保持機構部９０について説明する。図７、図８、図１２〜図１７に示すように、前記保持機構部９０は、前記遊技盤２０の後面側において、統括制御装置７０(基板ケース７１)を遊技盤２０の後方へ向けて起立する縦向き姿勢(基板ケース７１の表面が遊技盤２０の後面に対して交差する姿勢)で着脱可能に保持し得るよう構成されている。具体的に、前記保持機構部９０は、前記設置部材５０(第３枠体部５０ｃ)における外周壁部５２の左側(図７、図１２では右側)に隣接して設けられている。すなわち、前記保持機構部９０を介して基板ケース７１を図柄表示装置１８の側方に隣接して配設することにより、該図柄表示装置１８と重なる前後方向への突出寸法を抑制するようになっている。以下の説明では、前記保持機構部９０により保持された統括制御装置７０(基板ケース７１)が占有する領域を設置領域９０ａと指称するものとする。
【００４７】
前記保持機構部９０は、図７に示すように、基板ケース７１を設置領域９０ａに保持した状態で、前記前面板７９が当接して基板ケース７１の前方移動を規制する前側規制部としての設置面９３と、基板ケース７１の下端部(一端部)に係合して当該基板ケース７１の下方移動を規制する下側規制部としての係合凹部(係合部)９５と、該係合凹部９５に対して基板ケース７１の設置領域９０ａを挟んで対向する上方位置に設けられ、当該係合凹部９５との係合解除方向への基板ケース７１の上方移動を規制する第１上側規制部(第１規制部)９８と、基板ケース７１の設置領域９０ａの左縁部(設置領域９０ａの一方縁部。なお図７では設置領域９０ａの右側の縁部である)に設けられ、当該該設置領域９０ａの左縁部側への基板ケース７１の移動を規制する第１側方規制部(第２規制部)１０２と、基板ユニットの設置領域９０ａの右縁部(設置領域９０ａの他方縁部。なお図７では設置領域９０ａの左側の縁部である)に設けられ、当該該設置領域９０ａの右縁部側への基板ケース７１の移動を規制する第２側方規制部(第３規制部)１０５とを備えている。すなわち、前記基板ケース７１の前面板７９を設置面９３に当接させて前方移動を規制した状態で、前記係合凹部９５、第１上側規制部９８、第１側方規制部１０２および第２側方規制部１０５により遊技盤２０の後面に沿う方向への基板ユニットの変位が規制されるようになっている。また、保持機構部９０は、前記基板ケース７１のストッパ突部８４に係脱可能に係合して基板ケース７１の前方移動を規制する後側規制部としての弾性係止片１０７が設けられている。すなわち、基板ケース７１の離脱方向(後方)への変位を弾性係止片１０７により規制するようになっている。
【００４８】
(設置面９３について)
図１４に示すように、前記設置部材５０は、前記第３枠体部５０ｃを形成する外周壁部５２の上下に離間する２箇所から側方へ突出するよう支持台９１が形成されており、当該支持台９１の後面が前記保持機構部９０の設置面９３として機能するようになっている。また、上下の支持台９１は、前記フランジ部５３から所定距離だけ設置面９３が後方へ離間するよう形成されており、当該設置面９３に基板ケース７１の前面板７９を当接させた際に、遊技盤２０の後面と基板ケース７１(前面板７９)との間にセンサ収容空間１２０(図１０参照)が画成されるようになっている。そして、このセンサ収容空間１２０に、前記センサ保持部６３に保持された磁気センサ６１が位置すると共に、前記ゲートセンサ３６が収容されたセンサ収容部３７の後端が開口するようになっている。すなわち、前記基板ケース７１を保持機構部９０で保持した状態では、前記ゲートセンサ３６および磁気センサ６１が基板ケース７１と前後の位置関係で重なるようになっており、当該ゲートセンサ３６や磁気センサ６１を基板ケース７１で保護し得るようになっている。そして、前記保持機構部９０から基板ケース７１を取り外した状態では、該基板ケース７１の設置領域９０ａにセンサ収容空間１２０が連通して、センサ収容部３７からゲートセンサ３６を取り外したり、センサ保持部６３から磁気センサ６１を取り外したりすることが可能となる。なお、前記設置面９３は、前記基板ケース７１を保持機構部９０で保持した状態において、前記係止フック６７を弾性変形させて前記センサ保持部６３の係合爪１０９と磁気センサ６１との係合を解除し得る位置に設けられており、基板ケース７１が設置領域９０ａに設置されているか否かに関わらず磁気センサ６１を着脱し得るようになっている。
【００４９】
また、図７、図１４に示すように、上側に位置する支持台９１の設置面９３には、左右へ向けて帯状に延在する２つの帯状突部９４が上下に離間するよう設けられている。前記上側の設置面９３に形成された帯状突部９４は、前記基板ケース７１を保持機構部９０で保持した際に、当該基板ケース７１に形成された逃げ溝の内側に嵌まり込むと共に、当該帯状突部９４の一方が、基板ケース７１の前面板７９に形成された上側の当接支持面７９ａの下方に隣接して位置すると共に、当該帯状突部９４の他方が、基板ケース７１の前面板７９に形成された上側の突条部７９ｃの上方に隣接して位置するようになっている。すなわち、前記上側の設置面９３に形成された帯状突部９４の夫々が隣接する対応の当接支持面７９ａおよび突条部７９ｃの端部に係合することで、基板ケース７１の上下移動を規制し得るようになっている。また同様に、下側に位置する支持台９１の設置面９３には、左右へ向けて帯状に延在する２つの帯状突部９４が上下に離間するよう設けられている。前記下側の設置面９３に形成された帯状突部９４は、前記基板ケース７１を保持機構部９０で保持した際に、当該基板ケース７１に形成された逃げ溝の内側に嵌まり込むと共に、当該帯状突部９４の一方が、基板ケース７１の前面板７９に形成された下側の当接支持面７９ａの上方に隣接して位置すると共に、当該帯状突部９４の他方が、基板ケース７１の前面板７９に形成された下側の突条部７９ｃの上方に隣接して位置するようになっている。すなわち、前記下側の設置面９３に形成された帯状突部９４の夫々が隣接する対応の当接支持面７９ａおよび突条部７９ｃの端部に係合することで、基板ケース７１の上方移動を規制し得るようになっている。
【００５０】
(係合凹部９５について)
図１４に示すように、前記係合凹部９５は、前記設置領域９０ａの下縁において係合口９５ａが設置領域９０ａ側(上方)へ開口する凹状に形成されており、該係合凹部９５の係合口９５ａから挿入された基板ケース７１の下側突部８２が係脱可能に係合するよう構成されている。すなわち、前記係合口９５ａに下側突部８２を挿入した基板ケース７１の下面板７８が前記係合凹部９５の開口端部に当接することで、当該基板ケース７１の下方移動を規制するようになっている。また、前記係合凹部９５に基板ケース７１の下側突部８２を挿入した状態において、係合凹部９５の内面に下側突部８２の後端面が当接するよう構成されており、当該基板ケース７１の下端部の後方移動が規制されるようになっている。すなわち、前記係合凹部９５は、基板ユニットの後方移動を規制する後側規制部としての機能も有している。ここで、前記係合凹部９５における係合口９５ａの左右の開口幅Ｗ５は、下側突部８２の左右の幅Ｗ３よりも大きく形成されており、該下側突部８２の係合口９５ａへの挿入容易性を高めている。また、前記設置部材５０には、前記係合凹部９５の内部前面側に、係合凹部９５の内部に開口する退避部９５ｂが形成されており、設置領域９０ａに保持される取付姿勢に対して傾斜させた傾斜姿勢の基板ケース７１の下側突部８２を、当該係合凹部９５に対して挿入し得るようになっている。これにより、傾斜姿勢とした基板ケース７１の下側突部８２を前記係合口９５ａに挿入した状態で、係合凹部９５の開口端部との当接位置を支点として基板ケース７１を回動することにより、当該基板ケース７１を取付姿勢に変位させ得るようになっている。
【００５１】
(上側規制部９８について)
前記設置部材５０には、図１４、図１５に示すように、前記係合凹部９５に対して前記統括制御装置７０(基板ケース７１)の設置領域９０ａを挟んで対向する位置に、後方へ向けて突出して基板ケース７１の上面板７７に対向する上壁部９７が形成されている。そして、この上壁部９７に前記第１上側規制部９８が形成されている。ここで、前記上壁部９７は、前記基板ケース７１に形成された上側突部８３の上方および左右側方に対して所定の間隙を開けて囲繞するコ字状に形成されており、当該上壁部９７に囲まれた領域内側に基板ケース７１の上側突部８３を後方から差し込み得るようになっている。すなわち、前記上壁部９７は、前記基板ケース７１の設置領域９０ａに対し、前記係合凹部９５からの下側突部８２の係合解除方向(上方向)に位置するよう設置領域９０ａの上縁に沿って後方へ突設されている。
【００５２】
そして、図１４に示すように、前記基板ケース７１に形成された上側突部８３の上面に対向する前記上壁部９７の対向面９７ａに、該基板ケース７１側に突出するよう前記第１上側規制部９８が形成されており、当該第１上側規制部９８に上側突部８３の上面が当接することで、係合凹部９５および下側突部８２の係合解除方向(上方)への基板ケース７１の移動が規制されるようになっている。なお、前記第１上側規制部９８は、上壁部９７の突出方向(前後方向)に沿って線状に延在するよう形成されると共に、左右方向に互いに離間するよう複数(実施例では２つ)設けられている。また、図１４に示すように、前記第１上側規制部９８には、前記設置面９３に連設すると共に前記設置領域９０ａに保持した基板ケース７１(上側突部８３)の上面が当接する第１上側規制面９８ａと、当該第１上側規制面９８ａの後端部に連設すると共に後方へ向かうにつれて設置領域９０ａに保持した基板ケース７１(上側突部８３)から離間するよう傾斜した第１上側案内面９８ｂ(案内面)とが設けられている。すなわち、前記設置領域９０ａに対して基板ケース７１の上側突部８３を後方から移動させた際に、前記第１上側案内面９８ｂに沿って上側突部８３を第１上側規制面９８ａに当接する位置に誘導し得るようになっている。
【００５３】
また、前記上壁部９７には、図７、図１５に示すように、前記基板ケース７１に形成された上側突部８３の左右側面に対向する対向面９７ｂに、該基板ケース７１側に突出するよう第２上側規制部９９が形成されており、設置領域９０ａに保持された基板ケース７１における上側突部８３の左右側面に対して当該第２上側規制部９９が当接するようになっている。すなわち、前記第２上側規制部９９が上側突部８３の左右側面に当接することで、基板ケース７１の上端部の左右位置が位置規制されて、基板ケース７１の保持安定性が向上するようになっている。なお、前記第２上側規制部９９は、上壁部９７の突出方向(前後方向)に沿って線状に延在するよう形成されている。また、図１５に示すように、前記第２上側規制部９９の夫々には、前記設置面９３に連設すると共に前記設置領域９０ａに保持した基板ケース７１(上側突部８３)の対応する左右側面が当接する第２上側規制面９９ａと、当該第２上側規制面９９ａの後端部に連設すると共に後方へ向かうにつれて設置領域９０ａに保持した基板ケース７１(上側突部８３)から離間するよう傾斜した第２上側案内面(案内面)９９ｂとが設けられている。すなわち、前記設置領域９０ａに対して基板ケース７１の上部を後方から移動させた際に、前記第２上側案内面９９ｂに沿って上側突部８３が第２上側規制面９９ａに当接する位置まで誘導し得るようになっている。なお、左右に対向する第２上側規制部９９における第２上側規制面９９ａの離間幅Ｗ６は、前記係合凹部９５における係合口９５ａの左右の開口幅Ｗ５よりも小さくなるよう形成されている。
【００５４】
(第１側方規制部１０２について)
前記設置部材５０には、図７、図１２、図１３に示すように、前記係合凹部９５および第１上側規制部９８の対向方向(上下方向)に直交する左右方向において設置領域９０ａの左側の縁部(一方縁部)に、後方へ向けて突出して基板ケース７１の裏面板７６に対向する第１側壁部１０１が形成されており、当該第１側壁部１０１に前記第１側方規制部１０２が形成されている。ここで、前記第１側壁部１０１は、前記基板ケース７１の裏面板７６に対して所定の間隙を開けて対向するよう形成されている。また、前記第１側壁部１０１は、前記上壁部９７に隣接する位置および係合凹部９５に隣接する位置に夫々設けられており、前記基板ケース７１を保持機構部９０に保持した状態で、上下の第１側壁部１０１の間から前記センサ収容空間１２０が左側方に開口するよう構成されている。なお、前記上下の第１側壁部１０１は、前記基板ケース７１の前面板７９を設置面９３に当接させた状態で、該基板ケース７１の前後幅の１／２以上の範囲で対向するよう設けられており、当該基板ケース７１の支持安定性を高めるよう構成されている。
【００５５】
そして、図１２、図１３に示すように、前記基板ケース７１の裏面板７６に対向する前記上下の第１側壁部１０１の対向面１０１ａに、該基板ケース７１側に突出するよう前記第１側方規制部１０２が形成されており、当該第１側方規制部１０２に基板ケース７１の裏面板７６が当接することで、該設置領域９０ａの左縁部側への前記基板ケース７１の移動が規制されるようになっている。なお、前記第１側方規制部１０２は、第１側壁部１０１の突出方向(前後方向)に沿って線状に延在するよう形成されると共に、上下方向に互いに離間するよう複数設けられている。実施例では、上側の第１側壁部１０１に４つの第１側方規制部１０２が設けられ、下側の第１側壁部１０１に３つの第１側方規制部１０２が設けられている。また、図１３に示すように、前記各第１側方規制部１０２には、前記設置面９３に連設すると共に前記設置領域９０ａに保持した基板ケース７１の裏面板７６が当接する第１側方規制面１０２ａと、当該第１側方規制面１０２ａの後端部に連設すると共に後方へ向かうにつれて設置領域９０ａに保持した基板ケース７１(裏面板７６)から離間するよう傾斜した第１側方案内面１０２ｂ(案内面)とが設けられている。すなわち、前記設置領域９０ａに対して基板ケース７１を後方から移動させた際に、前記第１側方案内面１０２ｂに沿って基板ケース７１の裏面板７６を第１側方規制面１０２ａに当接する位置まで誘導し得るようになっている。
【００５６】
また、図１３、図１５に示すように、前記上下の第１側壁部１０１において前記基板ケース７１の裏面板７６に対向する対向面１０１ａは、第１側壁部１０１の後端(突出先端側)へ向かうにつれて当該基板ケース７１から離間する傾斜状に形成されている。すなわち、上下の第１側壁部１０１に形成された第１側方規制部１０２(第１側方規制面１０２ａ)に基板ケース７１の裏面板７６を当接させた状態で、各第１側壁部１０１の後端部が基板ケース７１の裏面板７６から大きく離間して、基板ケース７１の裏面側の視認性を高めるよう構成されている。また言い換えると、前記各第１側方規制部１０２は、前記第１側壁部１０１の後端部から前端部(設置面９３側)に向かうにつれて当該第１側壁部１０１の対向面１０１ａからの突出高さが徐々に低くなる三角板状に形成されているから、当該第１側方規制部１０２の剛性が高めることができ、基板ケース７１の支持安定性を向上し得るようになっている。ここで、第１側壁部１０１の対向面１０１ａと基板ケース７１の裏面板７６との間に形成されるＳ１は、当該基板ケース７１と前記球通路ユニット１３２との間に画成される隙間Ｓ２と前後に連通するよう形成されており、当該隙間Ｓ１,Ｓ２を介して遊技盤２０の後方側から基板ケース７１の裏面板７６を視認し得る構成されている。
【００５７】
図１２に示すように、前記上下の第１側壁部１０１における対向面１０１ａとは反対側に位置する外側面１０１ｂは、当該第１側壁部１０１の突出先端側へ向かうにつれて設置領域９０ａへ近づく傾斜状に形成されている。すなわち、上下の第１側壁部１０１は、突出基端となる前端側側から突出先端となる後端側へ向けて先窄みの山状に形成されており、突出基端側での幅を大きく確保することで、当該第１側壁部１０１の剛性を高めている。
【００５８】
(第２側方規制部１０５について)
前記設置部材５０には、図１２、図１３、図１４に示すように、前記係合凹部９５および第１上側規制部９８の対向方向(上下方向)に直交する左右方向において設置領域９０ａの右側の縁部(他方縁部)に、後方へ向けて突出して基板ケース７１の表面板７５に対向する第２側壁部１０４が形成されている。そして、この第２側壁部１０４に前記第２側方規制部１０５が形成されている。ここで、前記第２側壁部１０４は、前記基板ケース７１(設置領域９０ａ)を挟んで位置する前記上下の第１側壁部１０１の間の領域に対向するよう形成されている。すなわち、保持機構部９０により基板ケース７１を保持した際に、当該基板ケース７１の表面板７５および裏面板７６に対して、前記第１側壁部１０１および第２側壁部１０４が互い違いになるよう対向して、当該基板ケース７１の周囲の空気の流動性を高めている。また、第２側壁部１０４は、前記設置領域９０ａに基板ケース７１を取り付けた状態で、該基板ケース７１における表面板７５の下半部に対向する位置および上下幅で設けられている(図５参照)。すなわち、第２側壁部１０４は、前記通孔７５ａが殆ど設けられていない表面板７５の下半部に対向するよう形成されている。
【００５９】
図８、図１２、図１３に示すように、前記基板ケース７１の表面板７５に対向する前記第２側壁部１０４の対向面１０４ａに、該基板ケース７１側に突出するよう前記第２側方規制部１０５が形成されており、当該第２側方規制部１０５に基板ケース７１の表面板７５が当接することで、該設置領域９０ａの右縁部側への前基板ケース７１の移動が規制されるようになっている。なお、前記第２側方規制部１０５は、第２側壁部１０４の突出方向(前後方向)に沿って線状に延在するよう形成されると共に、上下方向に互いに離間するよう複数設けられている。実施例では、上側の第２側壁部１０４に４つの第１側方規制部１０２が設けられている。また、前記第２側壁部１０４における対向面１０４ａとは反対側に位置する外側面１０４ｂには、前記第２側方規制部１０５の形成位置と対応する位置に、前後方向に延在する補強リブ１０４ｃが形成されており、第２側方規制部１０５に基板ケース７１が当接した際に、第２側壁部１０４が損傷するのを防止するようになっている。
【００６０】
また、前記遊技盤２０の後面を基準とした前記第２側壁部１０４の突出高さは、図１２、図１３、図１７に示すように、同様に遊技盤２０の後面を基準とした前記上下の第１側壁部１０１の後方への突出高さと比べて低くなるよう形成されている。すなわち、前記第１側壁部１０１および第２側壁部１０４は、前記遊技盤２０の後面に対する後方への突出高さが相違するよう形成されている。なお、前記第２側壁部１０４は、前記基板ケース７１の前面板７９を設置面９３に当接させた状態で、該基板ケース７１の前後幅の１／２の範囲で対向するよう設けられており、当該基板ケース７１の支持安定性を高めるよう構成されている。
【００６１】
(弾性係止片１０７について)
前記設置部材５０には、図７，図１４〜図１６に示すように、前記基板ケース７１の表面板７５に対向する位置に、該基板ケース７１に対して近接離間する方向へ弾性変形可能な弾性係止片１０７が形成されている。前記弾性係止片１０７は、前記設置部材５０(第３枠体部５０ｃ)の後端部から後方へ延出する長板状の係止片本体１０８と、該係止片本体１０８に前記基板ケース７１(設置領域９０ａ)側へ突出するよう設けられて前記ストッパ突部８４に対して係脱可能に係合する係合爪１０９とを備えており、基板ケース７１の前面板７９を設置面９３に当接させた際に、当該係合爪１０９がストッパ突部８４と係合して、基板ケース７１の後方移動を規制するよう構成されている。また、前記弾性係止片１０７の後端部には、後方に向かうにつれて設置領域９０ａから離間するよう傾斜する操作片１１０が設けられており、当該操作片１１０を操作して弾性係止片１０７を弾性変形させることで、前記係合爪１０９とストッパ突部８４との係止状態を解除し得るよう構成されている。
【００６２】
前記係合爪１０９は、図１６に示すように、前記係止片本体１０８の上下の端縁に沿って延在する突出部１０９ａと、該上下の突出部１０９ａの後端部から対向する突出部１０９ａへ向けて上方または下方へ延出する係止片１０９ｂとから上下対称な鉤状に形成されており、前記板ケースの前面板７９を設置面９３に当接させた際に、上下の突出部１０９ａおよび係止片１０９ｂで囲まれた係止領域に前記ストッパ突部８４が臨んでストッパ突部８４の後端部が係止片１０９ｂの前端に係合することにより、当該基板ケース７１の後方移動を規制するようになっている。
【００６３】
ここで、前記弾性係止片１０７の係合爪１０９から、前記第１側壁部１０１に形成された第１側方規制部１０２の端部までの離間距離Ｗ７は(図１５(c)参照)、前記基板ケース７１の左右の幅寸法Ｗ３(図１１(c)参照)よりも狭くなるよう形成されている。すなわち、前記基板ケース７１を保持機構部９０で保持した状態で、前記弾性係止片１０７が完全に弾性復帰しないよう構成されており、前記係合爪１０９が基板ケース７１の表面板７５を押圧して、当該係合爪１０９とストッパ突部８４との係合状態が確実に維持し得るようになっている。
【００６４】
また、前記弾性係止片１０７の後端部には、図１５，図１６に示すように、前方に向かうにつれて設置領域９０ａに近接するよう傾斜する作用壁１１１が形成されている。なお、前記作用壁１１１および操作片１１０は、連続した傾斜面を成すよう構成されている。前記作用壁１１１には、前記設置領域９０ａに基板ケース７１を取り付ける際に、前記ストッパ突部８４(第１リブ８４ａ)が当接するよう構成されており、当該ストッパ突部８４の当接に伴って弾性係止片１０７を弾性変形させ得るようになっている。前記弾性係止片１０７の係止片本体１０８には、前記上下一対の係止片１０９ｂの対向した端部から作用壁１１１へ向けて後方へ延在するレール状のガイド部１１２が形成されている。また、前記ガイド部１１２は、下側突部８２を係合凹部９５に挿入した傾斜姿勢の基板ケース７１を、当該下側突部８２と係合凹部９５との係合位置を中心に取付姿勢へ向けて回動させた際に、前記ストッパ突部８４が移動する移動経路上に位置するよう設けられている。すなわち、前記設置領域９０ａに基板ケース７１を取り付ける際に、前記ストッパ突部８４の当接に伴い弾性変形した弾性係止片１０７が弾性復帰することを、前記ガイド部１１２とストッパ突部８４との当接により規制して、前記係合爪１０９との係合位置へのストッパ突部８４の移動を許容すると共に、当該基板ケース７１の前面板７９が設置面９３に当接したタイミングで、ストッパ突部８４が係合爪１０９の前端側まで移動して弾性係止片１０７が弾性復帰することにより、ストッパ突部８４と係合爪１０９が自然に係合するようになっている。上下のガイド部１１２の離間間隔は、前記ストッパ突部８４における上下の第１リブ８４ａの離間間隔と略一致するよう形成されている。
【００６５】
(実施例の作用)
次に、前述のように構成されたパチンコ機１０の作用について説明する。
【００６６】
保持機構部９０に対して基板ケース７１(統括制御装置７０)を設置する際には、前記第１側壁部１０１(第１側方規制部１０２)および第２側壁部１０４(第２側方規制部１０５)の間に基板ケース７１を下側突部８２から挿入する。このとき、第２側壁部１０４よりも第１側壁部１０１を大きく後方へ突出させてあるから、傾斜姿勢にした基板ケース７１の裏面板７６を第１側壁部１０１の第１側方規制部１０２に当接(図１７のＭ１参照)することで、第１側方規制部１０２および第２側方規制部１０５の間に基板ケース７１を後方から差し込み可能な位置に、当該基板ケース７１を位置合わせすることができる。従って、第１側方規制部１０２に当接させた基板ケース７１を、当該第１側方規制に沿って設置面９３に近づけるだけで基板ケース７１を後方から差し込むことができる。このとき、前記第１側方規制部１０２に第１側方案内面１０２ｂを形成すると共に、前記第２側方規制部１０５に第２側方案内面１０５ｂを形成したことにより、第１側方規制部１０２および第２側方規制部１０５の間に差し込み可能な位置から基板ケース７１が左右にずれたとしても、当該第１側方案内面１０２ｂおよび第２側方案内面１０５ｂにより基板ケース７１の姿勢を正して第１側方規制部１０２(第１側方規制面１０２ａ)および第２側方規制部１０５(第２側方規制面１０５ａ)の間に容易に差し込むことができる。
【００６７】
そして、第１側壁部１０１および第２側壁部１０４の間に傾斜姿勢で差し込んだ基板ケース７１の下側突部８２を設置面９３に当接させた状態で、当該基板ケース７１を下方へ移動することにより、係合凹部９５の係合口９５ａを介して係合凹部９５内に下側突部８２が挿入される。このとき、係合凹部９５に退避部９５ｂを形成したことで、前記基板ケース７１を傾斜姿勢のまま挿入することができる。また、係合凹部９５における係合口９５ａの左右開口幅(Ｗ５)を、前記基板ケース７１の下側突部８２の左右幅(Ｗ３)よりも大きくしたことで、下側突部８２を係合凹部９５に対し容易に挿入することができる。そして、係合凹部９５に係合させた下側突部８２を支点として基板ケース７１を傾斜姿勢から取付姿勢にするよう起立させることで、当該基板ケース７１の前面板７９が設置面９３に当接した際に基板ケース７１のストッパ突部８４が弾性係止片１０７と係合して、保持機構部９０により基板ケース７１が保持される。
【００６８】
ここで、前記基板ケース７１の上側突部８３に対向する上壁部９７に設けられた第１上側規制部９８には、第１上側案内面９８ｂを形成するようにしたから、傾斜姿勢から取付姿勢にするよう回動させた際に基板ケース７１が上方にずれたとしても、当該第１上側案内面９８ｂにより基板ケース７１の姿勢を正して第１上側規制部９８における第１上側規制面９８ａに基板ケース７１の上側突部８３が当接するよう誘導することができる。また、前記上壁部９７には、前記上側突部８３を挟む位置に第２上側規制部９９が夫々形成されると共に、該第２上側規制部９９に第２上側案内面９９ｂを形成したから、傾斜姿勢から取付姿勢にするよう回動させた際に基板ケース７１の上側突部８３が左右にずれたとしても、当該第２上側案内面９９ｂにより基板ケース７１の姿勢を正して第２上側規制部９９における第２上側規制面９９ａに上側突部８３の側面が当接するよう誘導することができる。
【００６９】
また、傾斜姿勢から取付姿勢にするよう基板ケース７１を回動させた際に、前記ストッパ突部８４の移動軌跡上に位置する弾性係止片１０７の作用壁１１１に当接する。従って、弾性係止片１０７の作用壁１１１にストッパ突部８４が当接した状態で基板ケース７１を取付姿勢に変位させると、作用壁１１１がストッパ突部８４により押圧されて弾性係止片１０７の係止片本体１０８を弾性変形させるように作用し、ストッパ突部８４が作用壁１１１との当接位置を通過し、ガイド部１１２に沿って移動した後、ストッパ突部８４が弾性係止片１０７の係止領域へ導かれることで、係止片本体１０８が弾性復帰し、これによりストッパ突部８４が弾性係止片１０７により係止される。このように、傾斜姿勢から取付姿勢にするよう基板ケース７１を回動させるだけで、ストッパ突部８４を弾性係止片１０７とを自然に係合させることができる。また、前記弾性係止片１０７の係合爪１０９から前記第１側方規制部１０２までの離間距離Ｗ７を、基板ケース７１の左右の幅寸法Ｗ３よりも狭くなる形成して、弾性復帰した弾性係止片１０７が基板ケース７１の表面板７５を押圧するよう構成したことにより、ストッパ突部８４と弾性係止片１０７との係合状態が緩むのを防止することができ、基板ケース７１を保持機構部９０により安定的に保持し得る。
【００７０】
そして、回路基板７２の表面が遊技盤２０の後面に対して交差する姿勢で統括制御装置７０(基板ケース７１)を保持し得るよう保持機構部９０を設け、保持機構部９０に保持される統括制御装置７０と、演出装置保持部に保持される図柄表示装置１８とが、遊技盤２０の後面に沿う方向に重なる位置関係(具体的には、左右に重なる位置関係であり、両装置の後端位置が略同一とされている)で配設されるよう構成した。従って、図柄表示装置１８の後方に統括制御装置７０を設置する場合と比較して、遊技盤２０全体における前後方向の大きさを抑えることができる。また、図柄表示装置１８を取り外す場合に統括制御装置７０を取り外す必要が生じないことで、図柄表示装置１８に関する点検および交換作業の簡略化が図られる。
【００７１】
また、前記統括制御装置７０における基板ケース７１の下側突部８２が係合する係合凹部９５と、該係合凹部９５の上方に設けられて基板ケース７１の上側突部８３に当接する第１上側規制部９８とを備えると共に、基板ケース７１のストッパ突部８４を係止する弾性係止片１０７を備えることで、基板ケース７１の離脱方向への変位(後方変位)を係合凹部９５および弾性係止片１０７で規制し、係合凹部９５からの下側突部８２が抜け出る方向(係合解除方向)への変位を第１上側規制部９８で規制することができる。また、基板ケース７１の表面板７５に対向する第２側壁部１０４と、裏面板７６に対向する第１側壁部１０１とを形成し、当該基板ケース７１の表面板７５および裏面板７６の両側を支持するよう構成したことで、統括制御装置７０の支持安定性を高めることができる。また、設置状態で基板ケース７１が左右に大きく揺動して破損する不具合を防止し得る。
【００７２】
そして、基板ケース７１における上側突部８３の前後幅Ｗ２を下側突部８２の前後幅Ｗ１よりも大きく形成すると共に、上側突部８３を係合凹部９５の係合口９５ａに挿入不能に構成したしたことで、保持機構部９０に対し基板ケース７１が上下逆さに取り付けられる不具合を防止できる。また、上側突部８３および下側突部８２を観察することで基板ケース７１の取付姿勢を容易に判別することも可能となる。
【００７３】
また，実施例の保持機構部９０では、設置領域９０ａの下縁において係合凹部９５の係合口９５ａが上方へ開口するよう形成し、当該係合凹部９５に対して基板ケース７１の下側突部８２を上方から挿し込んで係合される。これにより、統括制御装置７０の自重により下側突部８２と係合凹部９５との係合状態を維持することができ、保持機構部９０に対する統括制御装置７０の取付作業性が高まると共に、当該保持機構部９０に取り付けられた基板ケース７１の安定性を向上することにも繋がる。また、下側突部８２における下面(挿入先端面)の左右の横幅Ｗ３よりも係合凹部９５における係合口９５ａの左右の開口幅Ｗ５を大きく形成してあるから、係合凹部９５の係合口９５ａに対して広い領域で下側突部８２を受け入れることができ、該下側突部８２を係合凹部９５に対して容易に係合させることができる。そして、前記基板ケース７１の上側突部８３を左右から挟むよう一対の第２上側規制部９９を形成すると共に、当該第２上側規制部９９間の離間幅Ｗ６を係合口９５ａの左右の開口幅Ｗ５よりも小さくなるよ設定したことで、係合凹部９５の係合口９５ａに対する下側突部８２の挿入を容易にしつつ、基板ケース７１の上部の安定性を高めることができ、設置状態で基板ケース７１の上端部が左右に大きく揺動するのを防ぎ、基板ケース７１の破損等を防止し得る。
【００７４】
前記第１上側規制部９８、第２上側規制部９９、第１側方規制部１０２および第２側方規制部１０５の夫々に、後方へ向かうにつれて設置領域９０ａから遠ざかるよう傾斜する案内面を設けた。これにより、設置領域９０ａに基板ケース７１を取り付ける際に、当該基板ケース７１を広い範囲から受け入れることができる。また、弾性係止片１０７の操作片１１０および作用壁１１１に連続する傾斜状の案内面を形成するようにしたことで、操作片１１０を利用して基板ケース７１を広い範囲から設置領域９０ａへ案内でき、統括制御装置７０を取り付ける際の作業性が高まる。
【００７５】
前記第１側壁部１０１における遊技盤２０の後面を基準とした後方への突出高さと、前記第２側壁部１０４の突出高さと相違させ、前記設置領域９０ａを挟んで位置する第１側壁部１０１の後端部および第２側壁部１０４の後端部の前後位置を異ならせたことにより、第１側壁部１０１と第２側壁部１０４との間に差し込まれる基板ケース７１の受け入れ領域が広くなり、当該基板ケース７１の取付作業性が向上する。また、第１側壁部１０１の後端部および第２側壁部１０４の後端部の前後位置を異ならせたことで、傾斜姿勢とした基板ケース７１を一方の側壁部(具体的には第１側壁部１０１に形成された第１側方規制部１０２)に当接させて位置合わせすることが可能となる。
【００７６】
また、前記基板ケース７１の裏面板７６に対向する前記第１側壁部１０１の対向面１０１ａを、当該第１側壁部１０１の後端側へ向かうにつれて基板ケース７１の裏面板７６から離間する傾斜状に形成したから、保持機構部９０に保持した状態における基板ケース７１の裏面板７６の視認性が高まる。このため、第１側壁部１０１に形成した第１側方規制部１０２により基板ケース７１の変位を規制しつつ、基板ケース７１を目視で点検することができる。また、基板ケース７１と第１側壁部１０１の対向面１０１ａとの間の隙間Ｓ１が、基板ケース７１および球通路ユニット１３２の間に画成される隙間Ｓ２と連通するようにしたから、パチンコ機１０の後側からも基板ケース７１の裏面板７６を目視により点検することができる。
【００７７】
前記上下の第１側壁部１０１を、前端側(突出基端側)から後端側(突出先端側)へ向けて先窄まりとなる山状に構成したことで、第１側壁部１０１の後端側でのスペースを確保しつつ、当該第１側壁部１０１の剛性を高めることができる。特に、基板ケース７１を縦向き姿勢で設置する場合に、基板ケース７１の安定性を高めるべく、基板ケース７１の四方を囲む壁部(係合凹部９５、上壁部９７、第１側壁部１０１および第２側壁部１０４)の厚みを大きくすると、全体として大きなスペースを占有することになり、遊技盤２０の裏側における各種部品の設置スペースを圧迫することに繋がる。これに対し、実施例のように、第１側壁部１０１を他の壁部よりも突出方向に大きくなるよう構成すると共に当該第１側壁部１０１の剛性を高めて、当該第１側壁部１０１を設置領域９０ａに基板ケース７１を案内するガイドとすることで、当該基板ケース７１の取付時に作用する力を第１側壁部１０１に集中させることができるため、結果的に第１側壁部１０１の基盤を強固に構成すればよく、保持機構部９０の省スペース化を図ることに繋がる。
【００７８】
(変更例)
なお、遊技機としては、実施例に示したものに限らず、種々の構成を採用可能である。
【００７９】
(１)  実施例では、回路基板の表面が遊技盤の後面に対して交差する縦向き姿勢で基板ユニットを保持するよう保持機構部を構成したが、回路基板の表面が遊技盤の後面に対して交差する横向き姿勢で基板ユニットを保持するよう構成してもよい。
(２)  実施例では、保持機構部に基板ケース(統括制御装置)を設置した状態で、センサ保持部に対する磁気センサの着脱が行えるよう構成したが、保持機構部に基板ケース(統括制御装置)を設置した状態では磁気センサの着脱が行えないよう構成してもよい。
(３)  実施例では、演出装置として図柄表示装置を採用したが、可動体を備えた演出用可動装置や発光演出装置、入賞装置等であってもよく、またこれらを組み合わせた装置を採用してもよい。
(４)  実施例では、基板ケースの前面板に逃げ溝部を設け、設置面の帯状突部と係合するように構成したが、前面板に逃げ溝部を設けなくてもよい。この場合には、基板ケースが帯状突部に沿って傾倒することで上側第１側壁部との隙間がなくなり、安定して基板ケースを保持させることができる。
(５)  実施例では、保持機構部が基板ユニットを遊技盤の後方から後面に近づく方向へ受け入れるよう構成したが、遊技盤の後面に沿う方向へ移動した基板ユニットを受け入れる構成としてもよい。
(６)  実施例では、保持機構部が保持する対象を基板ケース(統括制御装置)としたが、ケース部材に収容保持しない回路基板を対象としてもよい。
(７)  実施例では、基板ユニットとして統括制御装置を採用したが、主制御基板、払出制御基板または発射制御基板等の制御用の回路を有する回路基板を備えた基板ユニットを採用することもでき、また外部端子接続用基板、中継基板またはＬＥＤ基板等の制御用回路を有さない回路基板を備えた基板ユニットを採用することもできる。
(８)  実施例では、遊技機としてパチンコ機の基板ユニットを保持する構成例示して説明したが、これに限られるものではなく、アレンジボール機やピンボール機、スロットマシン機等の各種遊技機を採用し得る。すなわち、設置面に対して回路基板の表面が交差する姿勢で基板ユニットを着脱可能に保持する構成とすることができる。
【００８０】
また、本願には例えば次のような技術的思想が含まれている。
遊技球が流下可能な遊技領域(20a)が形成された遊技盤(20)と、
前記遊技領域(20a)に設けられ、遊技球が入球可能な入球口(41a,41b)と、
前記入球口(41a,41b)への遊技球の入球に基づいて遊技演出を実行する演出装置(18)と、
前記演出装置(18)の後面が前記遊技盤(20)の後面より後側に位置する状態で該演出装置(18)を保持するベース部材(50)と、
表面に電気部品(73)が配設された回路基板(72)をケース部材(71)の内側に収容保持してなる基板ユニット(70)と、
遊技に関する所定の情報を検知するものであって、前記遊技盤(20)における前記ベース部材(50)の外縁よりも外側となる位置に配設されるセンサ(37,61)とを備えた遊技機において、
前記基板ユニット(70)を着脱可能に保持すると共に、前記基板ユニット(70)を保持した状態では前記センサ(37,61)の後方が前記基板ユニット(70)により被覆され、前記基板ユニット(70)を取り外した状態では前記センサ(37,61)が前記遊技盤(20)の後方へ露出されるよう設けられる保持機構部(90)を備えている。
上記の構成によれば、専用のカバーを設けることなくセンサを着脱可能に保護することができ、センサに対する破損等の不具合を防止すると共に、必要に応じてセンサの交換を容易に行うことができる。
【符号の説明】
【００８１】
１８  図柄表示装置(演出装置)
２０  遊技盤
２０ａ  遊技領域
４１ａ  第１始動入賞口(入球口)
４１ｂ  第２始動入賞口(入球口)
７０  統括制御装置(基板ユニット)
７１  基板ケース(ケース部材)
７３  電気部品
９０  保持機構部
９０ａ  設置領域
９５  係合凹部(係合部)
９８  第１上側規制部(上規制部)
９８ｂ  第１上側案内面(案内面)
１０２  第１側方規制部(第２規制部)
１０５  第２側方規制部(第３規制部)
１０２ｂ  第１側方案内面(案内面)
１０５ｂ  第２側方案内面(案内面)
１０７  弾性係止片(離脱規制手段)
【図１】
2014223213.tif 000003
【図２】
2014223213.tif 000004
【図３】
2014223213.tif 000005
【図４】
2014223213.tif 000006
【図５】
2014223213.tif 000007
【図６】
2014223213.tif 000008
【図７】
2014223213.tif 000009
【図８】
2014223213.tif 000010
【図９】
2014223213.tif 000011
【図１０】
2014223213.tif 000012
【図１１】
2014223213.tif 000013
【図１２】
2014223213.tif 000014
【図１３】
2014223213.tif 000015
【図１４】
2014223213.tif 000016
【図１５】
2014223213.tif 000017
【図１６】
2014223213.tif 000018
【図１７】
2014223213.tif 000019